(57)【要約】【課題】空気中に浮遊する細菌や微生物を捕捉して除菌できる空気清浄機を提供することを目的とする。【解決手段】プリフィルター２にリゾチーム３とＡｇ−アパタイト５を加えて形成した除菌フィルター７と、濾材１１をジグザグ状に折畳んで形成した集塵フィルター１６と空気清浄機の本体８とを設け、本体８の空気流路の上流側に除菌フィルター１を設け、下流側に集塵フィルター１６を設けることにより、空気中に浮遊する細菌を除菌フィルターで捕捉して除菌することにより、細菌の繁殖を抑制できる空気清浄機が得られる。【選択図】　図１
2004044840.tif 000002
【特許請求の範囲】
【請求項１】
酵素を加えるとともに金属を担持した無機抗菌剤とを加えて形成した除菌フィルターと、この除菌フィルターより集塵能力大なる集塵フィルターと、空気清浄機の本体とを備え、前記本体の空気流路の上流側に前記除菌フィルターを設け、下流側に前記集塵フィルターを設けた空気清浄機。
【請求項２】
除菌フィルターと集塵フィルター間にカテキン含有フィルターを設けた請求項１記載の空気清浄機。
【請求項３】
除菌フィルターの色を他のフィルターと異なる色で形成した請求項１または２記載の空気清浄機。
【請求項４】
除菌フィルターの除菌機能およびカテキン含有フィルターの抗ウイルス機能の寿命を、集塵フィルターの寿命に合わせ一体に形成した請求項２記載の空気清浄機。
【請求項５】
酵素を加えるとともに金属を担持した無機抗菌剤とを加えて濾材の一表面に塗布した抗菌濾材を、ジグザグ状に折り畳んで除菌集塵フィルターを形成し、この除菌集塵フィルターの塗布表面を上流側に向けて本体の空気流路中に設けた空気清浄機。
【発明の詳細な説明】
【０００１】
【発明の属する技術分野】
本発明は、気体中の細菌類を捕捉して除菌する空気清浄機に関する。
【０００２】
【従来の技術】
従来、この種の空気清浄機の一例として空気中に浮遊しているウイルスを捕集するものとして、特許第３２５０９４０号公報に記載されたものが知られている。以下、その構成について図８および図９を参照しながら説明する。
【０００３】
図に示すように、抗ウイルスフィルター１０１は、上流側に帯電処理を行ったエレクトレットフィルターなどの集塵フィルター１０２と、その下流側に茶の抽出成分を添着したフィルター１０３を積層して構成し、ファン１０４を設けた空気清浄機の本体１０５内に設けられていた。
【０００４】
そして、インフルエンザーウイルスを含んだ空気はファン１０４により抗ウイルスフィルター１０１に送風され、清浄な空気として室内に送風される。このとき、インフルエンザウイルスは、集塵フィルター１０２および茶の抽出成分を添着したフィルター１０３に捕集され、茶の抽出成分を添着したフィルター１０３に捕集されたインフルエンザウイルスは茶の抽出成分によって不活化され、集塵フィルター１０２に捕集されたインフルエンザウイルスが、再飛散した場合、後段に設けた茶の抽出成分を添着したフィルター１０３により不活化されていた。
【０００５】
したがって、活性を有したインフルエンザウイルスが抗ウイルスフィルター１０１より活性力を維持したまま再飛散するのを防止している。
【０００６】
また、茶の抽出成分を添着したフィルター１０３は細菌類を不活化する機能を合わせ持つものである。
【０００７】
【発明が解決しようとする課題】
このような従来の空気清浄機では、空気中に浮遊しているインフルエンザウイルスや細菌類を粉塵と共に捕捉して不活化することができるが、細菌や微生物の中には殺傷されずに繁殖するものがあるという課題があり、多くの細菌や微生物への殺傷力を高めて繁殖力を弱めることが要求されている。
【０００８】
本発明は、このような従来の課題を解決するものであり、捕捉した細菌や微生物を強力に殺傷して、除菌能力を向上させた空気清浄機を提供することを目的としている。
【０００９】
【課題を解決するための手段】
本発明の空気清浄機は上記目的を達成するために、プリフィルターに酵素を加えるとともに金属を担持した無機抗菌剤を加えて形成した除菌フィルターと、この除菌フィルターより集塵能力大なる集塵フィルターと、空気清浄機の本体とを備え、前記本体の空気流路の上流側に前記除菌フィルターを設け、下流側に前記集塵フィルターを設けた構成としたものである。
【００１０】
本発明によれば、捕捉した細菌や微生物を強力に殺傷して除菌能力を向上させた空気清浄機を提供することができる。
【００１１】
【発明の実施の形態】
本発明は、酵素を加えるとともに金属を担持した無機抗菌剤を加えて形成した除菌フィルターと、この除菌フィルターより集塵能力大なる集塵フィルターと、空気清浄機の本体とを備え、前記本体の空気流路の上流側に前記除菌フィルターを設け、下流側に前記集塵フィルターを設けたものであり、除菌フィルターで空中に浮遊する菌を捕捉して強力に殺傷し、集塵フィルター表面での菌の繁殖を抑制することができるという作用を有する。
【００１２】
以下、本発明の実施例について図面を参照しながら説明する。
【００１３】
【実施例】
（実施例１）
図１〜図４に示すように、除菌フィルター１を得るためのプリフィルター２に加える酵素は、人の涙に代表されるようにあらゆる動物や植物に含まれるもので、主に細菌の感染から生体を防御するのに役立っている。
【００１４】
酵素として使用するリゾチーム３は、抗炎症作用、止血作用などの薬理作用もあることが認められており、実際にかぜ薬などの医薬品にも配合されている。またリゾチーム３は蛋白質の一種で、その分子の表面には細菌の細胞を形造っている細胞壁の主成分である多糖がぴったりとはまり込む溝状の構造があり、この構造により特定の細胞のみを溶解する性質をもっている。
【００１５】
また、プリフィルター２に加える金属を担持した無機抗菌剤として、金属にＡｇまたはＣｕ、無機物にアパタイト、シリカ、ゼオライトなどが使用可能であり、本実施例ではＡｇ−アパタイト５の組合せを採用している。
【００１６】
Ａｇ−アパタイト５は細菌の内部に浸入して、ＤＮＡを直接抗撃することによりＤＮＡに損傷を与え、細菌を内側から弱らせて死滅させる性質を有している。
【００１７】
次に、除菌フィルター１の製造方法について図３を参照しながら説明する。
【００１８】
始めに水に添加剤としてリゾチーム３とＡｇ−アパタイト５を加え、溶けて透明になるまで混合撹拌し、次にアクリルポリマー等からなるバインダー６を加えてさらに撹拌し、抗菌加工用ディップ液７を作成する。この抗菌加工用ディップ液７をプリフィルター２に含浸または塗布した後、乾燥して除菌フィルター１を製造する。
【００１９】
そして、空気清浄機の本体８の吸気口９から吹出口１０に至る空気流路の風上側に除菌フィルター１を設け、風下側に集塵フィルターとして濾材１１をジグザグ状に折畳み、ホットメルト樹脂１２により折畳み形状を間隔をあけて保持するように形成されたヘパフィルター１３を設ける。さらにヘパフィルター１３の風下側に脱臭フィルター１５を設け構成する。
【００２０】
上記構成において、空気清浄機を運転すると、細菌を含む空気は吸気口９から吸気され、除菌フィルター１を通る間に空気中の一部の細菌は捕捉される。
【００２１】
このとき、図４に示すように、細菌Ａの細胞壁Ｂが酵素（リゾチーム）Ｃにより破壊Ｄされ、細菌Ａは溶解することとなる。また、Ａｇ−アパタイト５は細菌ＡのＤＮＡを抗撃して損傷を与え、不活化することとなる。そして除菌された空気はヘパフィルター１３を通過する間に空気中に含まれる粉塵が除去されるとともに、除菌フィルター１を通過した細菌も除去され、空気が清浄化されることとなる。
【００２２】
このように本発明の実施例１の空気清浄機によれば、プリフィルター２に添加剤としてリゾチーム３とＡｇ−アパタイト５を加えて形成した除菌フィルター１と、濾材１１をジグザグ状に折畳んで形成したヘパフィルター１３と、空気清浄機の本体８とを備え、本体８の空気流路の上流側に除菌フィルター１を設け、下流側にヘパフィルター１３を設けたので、空気中に浮遊する細菌の一部は風上側に設けられている除菌フィルター１に捕捉されて殺菌される。除菌フィルター１を素通りした細菌と塵埃は風下側に設けたヘパフィルター１３により効率良く除去され清浄化される。
【００２３】
そして、空気中の細菌が除菌フィルターに捕捉されることにより、ヘパフィルター１３で捕捉される細菌数は減ることになり、ヘパフィルター１３表面での菌の繁殖を抑制することができる。
【００２４】
また、リゾチーム３とＡｇ−アパタイト５を併用することにより殺菌作用の相乗効果を生じ、抗菌機能をより高めることができる。
【００２５】
ここでＪＩＳ−Ｚ２８０１に準拠して行った除菌フィルターの抗菌性能試験結果を示す。
【００２６】
【表１】
2004044840.tif 000003
【００２７】
無加工品では、３５℃２４時間後の生菌数が接種直後に対して増加もしくは同等であるのに対し、除菌フィルターでは生菌数が限度以下となり、大腸菌と黄色ブドウ球菌に対する抗菌効果が明らかになった。
【００２８】
（実施例２）
図５および図６に示すように、除菌フィルター１Ａとヘパフィルター１３Ａの間に茶の抽出成分を添着したカテキンフィルター１６を設ける。除菌フィルター１Ａの色をヘパフィルター１３Ａ（白色）およびカテキンフィルター１６（淡い茶色）とは異なる黒色に着色し、重ねて結合フィルター１４Ａを形成する。この結合フィルター１４Ａを空気清浄機の本体（図示せず）の空気流路に設け、空気清浄機を構成する。
【００２９】
上記構成において、空気清浄機を運転すると大腸菌やインフルエンザウイルス等を含む空気は除菌フィルター１Ａを通る間に大腸菌等の細菌が捕捉され、次にカテキン含有フィルター１６によりインフルエンザウイルスが茶の抽出成分によって不活化され、同時に細菌も不活化される。さらに空気中に含まれる塵埃等はヘパフィルター１３Ａに捕捉され空気が清浄化されることとなる。
【００３０】
このように、本発明の実施例２の空気清浄機によれば、除菌フィルター１Ａとヘパフィルター１３Ａの間にカテキン含有フィルター１６を設けたので、カテキン含有フィルター１６によりインフルエンザウイルスが不活化されるとともに殺菌作用も発揮され、除菌フィルター１Ａで大腸菌等の細菌が捕捉されることとなり、除菌フィルター１Ａとカテキンフィルター１６により細菌とウイルスを捕捉して不活化され、塵埃等はヘパフィルター１３Ａで捕捉され清浄化を図ることができる。
【００３１】
また、除菌フィルター１Ａの色をカテキンフィルター１６とヘパフィルター１３Ａの色とは異なる黒色に着色したので、製造工程でのフィルタ種別の誤りを防ぐとともに空気清浄機（図示せず）に結合フィルター１４Ａを組み込むときに、使用者は色の違いにより除菌フィルター１３Ａが容易に判別でき、間違うことなく取り付けることが可能となり組立性が良くなる。
【００３２】
（実施例３）
図５および図６に示すように、除菌フィルター１Ａの除菌機能とカテキンフィルター１６の抗ウイルスの機能の寿命をヘパフィルター１３Ａの寿命（約３年）に合わせ一体化して結合フィルター１４Ａを形成し、空気清浄機の本体（図示せず）の空気流路に組み込み構成する。
【００３３】
上記構成において、ヘパフィルター１３Ａの寿命がきて結合フィルター１４Ａを交換するときには、製造時においてヘパフィルター１３Ａの寿命にほぼ合うように除菌フィルター１Ａおよびカテキンフィルター１６を形成していることにより、ヘパフィルター１３Ａと共に除菌フィルター１Ａとカテキンフィルター１６の寿命がくることとなる。
【００３４】
このように本発明の実施例３の空気清浄機によれば除菌フィルター１Ａとカテキンフィルター１６の機能の寿命をヘパフィルター１３Ａの寿命に合わせ一体化して結合フィルター１４Ａを形成したので、ヘパフィルター１３Ａに寿命がきて交換するときに、機能が低下している除菌フィルター１Ａとカテキンフィルター１６を同時に交換することが可能となり、交換時期が一定間隔で良く、除菌フィルター１Ａとカテキンフィルター１６およびヘパフィルター１３Ａを各々個別に保管して管理する必要がなくなり、部品点数も少なく管理や交換の手間を省け、コスト低下を図ることができる。
【００３５】
（実施例４）
図７に示すように、リゾチーム３とＡｇ−アパタイト５を混合撹拌して造られた抗菌用ディップ液７を、濾材１１の一表面に塗布して抗菌濾材１１Ａを作成し、この抗菌濾材１１Ａをジグザグ状に折畳み、ホットメルト樹脂１２により間隔を設けて固定した除菌ヘパフィルター１３Ｂを形成する。そして空気清浄機の本体（図示せず）の空気流路に、プレフィルター２、抗菌ヘパフィルター１３Ｂ、脱臭フィルター１５を上流側から順次配置し、このとき抗菌ヘパフィルター１３Ｂは抗菌ディップ液を塗布した表面を上流側に向けて載置している。
【００３６】
上記構成において、プレフィルター２で大きな粉塵は除去され、小さな粉塵と細菌類は抗菌ヘパフィルター１３Ｂに捕集され、臭気成分は脱臭フィルター１５で除去される。
【００３７】
このように本実施例４の空気清浄機によれば、抗菌用ディップ液を塗布した表面を上流側に向けて、抗菌ヘパフィルター１３Ｂを設けているので、空気中の細菌を効率良く捕捉するとともに、捕捉した細菌を即座に殺傷して、フィルター表面での細菌の繁殖を抑え込むことができる。また抗菌用ディップ液の塗布量を調整して濾材１１に供給できるので、例えば３年間の使用期間において抗菌能力を発揮できるだけの塗布量とすることができ、経済的に抗菌ヘパフィルター１３Ｂを製造することができる。
【００３８】
【発明の効果】
以上の実施例から明らかなように、本発明によれば酵素を加えるとともに金属を担持した無機抗菌剤とを加えて形成した除菌フィルターと、この除菌フィルターより集塵能力大なる集塵フィルターと、空気清浄機の本体とを備え、前記本体の空気流路の上流側に除菌フィルターを設け、下流側に集塵フィルターを設けたので、除菌フィルターで空気中の菌が除去され、集塵フィルター表面での菌の繁殖を抑制することができるという効果のある空気清浄機を提供できる。
【００３９】
また、除菌フィルターと集塵フィルター間にカテキン含有フィルターを設けたので、ウイルス不活化に加えて、除菌フィルターとカテキン含有フィルターで細菌を捕捉して殺菌および不活化することにより、除菌効果をさらに高めることができる。
【００４０】
また、除菌フィルターの色を他のフィルターの色と異なる色で形成したので、フィルターの製造工程および空気清浄機への組込時に除菌フィルターを間違いなく判別することができ、組立性が向上する。
【００４１】
また、除菌フィルターの除菌機能およびカテキンフィルターの抗ウイルス機能の寿命をヘパフィルターの寿命に合わせて一体に形成したので、交換時期が一定間隔で行うことができ、また、部品点数も少なく、管理や交換の手間を省ける。
【００４２】
また、除菌成分を濾材表面に塗布してジグザグ状に折畳んだ除菌集塵フィルターを、塗布面を上流側に向けて空気清浄機の空気流路中に配置したので、除菌集塵フィルター上に高効率で捕集した細菌を短時間で殺傷して細菌の繁殖を防ぐとともに、塗布量を交換時期に合わせた適正値に調整して経済的に製造することができる。
【図面の簡単な説明】
【図１】本発明の実施例１の空気清浄機の構成を示す分解斜視図
【図２】同空気清浄機のフィルターの構成を示す斜視図
【図３】同空気清浄機の除菌フィルターの製造工程図
【図４】同空気清浄機の酵素による除菌原理図
【図５】本発明の実施例２および３の空気清浄機のフィルターの構成を示す分解斜視図
【図６】同空気清浄機のフィルターの要部破断の斜視図
【図７】本発明の実施例４の空気清浄機のフィルターの構成を示す断面図
【図８】従来の空気清浄装置の抗ウイルスフィルターの斜視図
【図９】同空気清浄装置の断面図
【符号の説明】
１　除菌フィルター
１Ａ　除菌フィルター
３　リゾチーム（酵素）
５　Ａｇ−アパタイト（金属を担持した無機抗菌剤）
８　本体
１１　濾材
１１Ａ　抗菌濾材
１３　ヘパフィルター（集塵フィルター）
１３Ａ　ヘパフィルター（集塵フィルター）
１３Ｂ　除菌ヘパフィルター（除菌集塵フィルター）
１６　カテキン含有フィルター
【図１】
2004044840.tif 000004
【図２】
2004044840.tif 000005
【図３】
2004044840.tif 000006
【図４】
2004044840.tif 000007
【図５】
2004044840.tif 000008
【図６】
2004044840.tif 000009
【図７】
2004044840.tif 000010
【図８】
2004044840.tif 000011
【図９】
2004044840.tif 000012